(57)【要約】  【課題】打栓装着時にスリットが広がったり周方向弱化線が切れたりしないようにする。  【解決手段】キャップ本体３は、内容物注出用開口を形成しうる遮断壁６と、該遮断壁６の外側に設けられた嵌合上壁７と、該嵌合上壁７の外周縁から下方に伸びる嵌合側壁１２と、該嵌合側壁１２の内面に設けられ、前記容器口部の係合凹部に係止する係合凸部１３と、該嵌合上壁７に設けられたスリット１７と周方向弱化線１８と、を備え、上蓋５は、天壁５ａと、該天壁５ａに連続するスカート２２を備えているキャップであって；前記嵌合上壁７の周方向弱化線１８より内側の上面に、受圧傾斜面３２を有する傾斜突起３１を形成し、前記上蓋５のスカート下端部の外周面を、前記受圧傾斜面３２に当接する加圧テーパー面２３にする。  【選択図】    図3
2006240645.tif 000002
【特許請求の範囲】
【請求項１】
容器口部に嵌着されるキャップ本体と、該キャップ本体に開閉自在に設けられた上蓋と、前記キャップ本体と該上蓋とを固定する手段と、からなり、
前記キャップ本体は、内容物注出用開口を形成しうる遮断壁と、該遮断壁の外側に設けられた嵌合上壁と、該嵌合上壁の外周縁から下方に伸びる嵌合側壁と、該嵌合側壁の内面に設けられ、前記容器口部の係合凹部に係止する係合凸部と、該嵌合上壁に設けられた引き裂き開始部と前記引き裂き開始部に連続する周方向弱化線と、を備え、前記上蓋は、天壁と、該天壁に連続するスカートを備えているキャップであって；
前記嵌合上壁の周方向弱化線より内側の上面に、受圧傾斜面を有する傾斜突起を形成し、前記上蓋のスカート下端部の外周面を、前記受圧傾斜面に当接する加圧テーパー面にしたことを特徴とする分別回収容易なキャップ。
【請求項２】
スカートの下端面は、閉蓋時嵌合上壁より離間していることを特徴とする請求項１記載の分別回収容易なキャップ。
【請求項３】
嵌合上壁の周方向弱化線より内側の上面に、補強厚肉部が形成されていることを特徴とする請求項１記載の分別回収容易なキャップ
【請求項４】
スカートの下端面は、閉蓋時補強厚肉部に当接することを特徴とする請求項３記載の分別回収容易なキャップ。
【請求項５】
傾斜突起は、断面三角形状に形成されていることを特徴とする請求項１，２，３，又は、４記載の分別回収容易なキャップ。
【請求項６】
傾斜突起は、断面台形状に形成され、受圧傾斜面と該受圧傾斜面に連続する平坦頂面とを備え、
スカートの下端面は、補強厚肉部に当接する内側平坦面と、前記受圧傾斜面に当接する加圧テーパー面と、前記平坦頂面に当接する外側平坦面と、を備えていることを特徴とする請求項１，２，３，又は、４記載の分別回収容易なキャップ。
【発明の詳細な説明】
【技術分野】
【０００１】
この発明は、容器口部に打栓装着される分別回収容易なキャップに関し、より詳細には内容物の使用後に容器本体から容易に分離でき、素材ごとの分別回収が可能なキャップに関するものである。
【背景技術】
【０００２】
容器口部には、キャップ本体と上蓋からなる合成樹脂製キャップが装着されている。
最近、資源の再利用、ゴミの廃棄処理などとの関係上、素材が異なる容器とキャップとの分離が要求されている。ところが、このキャップは、打栓によりキャップ本体の嵌合側壁の係合凸部を容器口部の係止凹部に嵌合固定しているので、両者を簡単に分離することが困難である。
【０００３】
そこで、この問題を解決するため、次のようなキャップが用いられている。
即ち、容器口部に嵌着されるキャップ本体と、該キャップ本体に螺着された上蓋とからなる分別回収容易なキャップであり、前記キャップ本体は、内容物注出用開口を形成しうる遮断壁と、該遮断壁の外側に設けられた嵌合上壁と、該嵌合上壁の外周縁から下方に伸びる嵌合側壁と、該嵌合側壁に設けられ、前記容器口部の係合凹部に係止する係合凸部と、該嵌合上壁に設けたスリットと、該スリットに連続する弱化線と、該嵌合側壁の上面に設けた摘持片とを備え、又、上蓋は、天壁と、該天壁に連続し、下端面が前記嵌合上壁に当接するスカートと、を備えている（例えば、特許文献１、参照）。
【０００４】
【特許文献１】意匠登録第１１６８９６１号
【発明の開示】
【発明が解決しようとする課題】
【０００５】
分別回収容易なキャップを容器口部に装着する場合には、キャップ本体に上蓋を螺着した状態で、打栓機に供給し打栓装着しているが、打栓時に嵌合上壁が上蓋のスカートに強く押圧される。そのため、嵌合上面に形成されているスリットが広がったり、周方向弱化線が切れて破損することがある。
【０００６】
この発明は、上記事情に鑑み、打栓装着時にスリットが広がったり周方向弱化線が切れたりしないようにすることを目的とする。
【課題を解決するための手段】
【０００７】
この発明は、容器口部に嵌着されるキャップ本体と、該キャップ本体に開閉自在に設けられた上蓋と、前記キャップ本体と該上蓋とを固定する手段と、からなり、前記キャップ本体は、内容物注出用開口を形成しうる遮断壁と、該遮断壁の外側に設けられた嵌合上壁と、該嵌合上壁の外周縁から下方に伸びる嵌合側壁と、該嵌合側壁の内面に設けられ、前記容器口部の係合凹部に係止する係合凸部と、該嵌合上壁に設けられた引き裂き開始部と前記引き裂き開始部に連続する周方向弱化線と、を備え、前記上蓋は、天壁と、該天壁に連続するスカートを備えているキャップであって；前記嵌合上壁の周方向弱化線より内側の上面に、受圧傾斜面を有する傾斜突起を形成し、前記上蓋のスカート下端部の外周面を、前記受圧傾斜面に当接する加圧テーパー面にしたことを特徴とする。
【０００８】
この発明のスカートの下端面は、閉蓋時嵌合上壁より離間していることを特徴とする。この発明の嵌合上壁の周方向弱化線より内側の上面に、補強厚肉部が形成されていることを特徴とする。この発明のスカートの下端面は、閉蓋時に補強厚肉部に当接することを特徴とする。
【０００９】
この発明の傾斜突起は、断面三角形状に形成されていることを特徴とする。この発明の傾  斜突起は、断面台形状に形成され、受圧傾斜面と該受圧傾斜面に連続する平坦頂面とを備え、スカートの下端面は、補強厚肉部に当接する内側平坦面と、前記受圧傾斜面に当接する加圧テーパー面と、前記平坦頂面に当接する外側平坦面と、を備えていることを特徴とする。  
【発明の効果】
【００１０】
この発明は、嵌合上壁の周方向弱化線より内側の上面に、受圧傾斜面を有する傾斜突起を形成し、前記上蓋のスカート下端部の外周面を、前記受圧傾斜面に当接する加圧テーパー面にしたので、打栓装着時に前記受圧傾斜面は、引き裂き開始部及び周方向弱化線側に押され、嵌合上壁には外向き水平方向の力が加わる。そのため、前記引き裂き開始部が広がったり、周方向弱化線が破損したりするのを防止することができる。
【実施例】
【００１１】
本発明の第１実施例を図１〜図３により説明する。分別回収容易なキャップ１は、合成樹脂、例えば、ポレエチレンにより形成され、容器口部２に嵌着されるキャップ本体３と該キャップ本体３に螺合される上蓋５と、から構成されている。
【００１２】
前記キャップ本体３は、遮断壁６と、該遮断壁６の外側に形成された嵌合上壁７とを備えている。該遮断壁６の上面には、スコア８に囲まれたプルリング９と、注出筒１０とが立設されている。
【００１３】
嵌合上壁７は、嵌合内壁１１と嵌合側壁１２を連結している。前記嵌合内壁１１は嵌合側壁１２の内側に位置している。前記嵌合側壁１２は嵌合上壁７の外周縁から垂下している。この嵌合側壁１２の内面には、係合凸部１３が設けられ、この係合凸部１３は容器口部２の係止凹部１５に係止している。また、嵌合側壁１２の上面には、断面円弧状の摘持片１６が外方に傾斜して立設されているが、この摘持片１６の形状、大きさなどは必要に応じて適宜選択される。
【００１４】
嵌合上壁７の外周縁側には、摘持片１６の内面に沿って引き裂き開始部、例えば、スリット１７が形成されている。該スリット１７の一端は、半円形状の周方向弱化線１８に連続している。前記スリット７及び周方向弱化線１８は、嵌合上壁７の同一円周上に設けられている。このスリット１７は弱化線でも良く、又、周方向弱化線１８の長さは必要に応じて適宜選択される。該スリット１７の他端は縦方向弱化線１９に連続している。前記嵌合上壁７の上面内周縁７a側には、筒状ねじ部２０が設けられ、このねじ部２０の下端側は嵌合内壁１１に連続している。ねじ部２０の上端部は注出筒１０に連結されている。
【００１５】
嵌合上壁７のスリット１７並びに周方向弱化線１８の内側の上面には、傾斜突起３１が突設されている。この突起３１は断面三角形状、例えば、直角三角形状に形成され、その内周面は、外側から内側に向かって下方に傾斜する、受圧傾斜面３２となっている。この突起３１の大きさや受圧傾斜面３２の角度の大きさは必要に応じて適宜選択される。
【００１６】
上蓋５の天壁５ａには、注出筒１０の上端に当接するシール筒２１が設けられ、前記天壁５ａにはスカート２２が連続している。このスカート２２はスリット１７及び周方向弱化線１８の内側に位置し、その下端部外周面は、外側から内側に向かって下方に傾斜する、加圧テーパー面２３となっている。このテーパー面２３は前記受圧傾斜面３２と対向し、閉蓋時に当接する。上蓋５のスカート２２の内周面には、前記筒状ねじ部２０と螺合するねじ部３０が設けられている。
【００１７】
次に、本実施例の作動について説明する。
上蓋５を閉蓋方向に回転させ、ねじ部３０をキャップ本体３の筒状ねじ部２０に螺合すると、スカート２２の加圧テーパー面２３は傾斜突起３１の受圧傾斜面３２に当接し、閉蓋する。この時、スカート２２の下端面２５は隙間ｓだけ嵌合上壁７の上面から離間している。この隙間ｓの大きさは、必要に応じて適宜選択される。
【００１８】
該キャップ１を図示しない打栓機に供給して容器口部２に打栓する。この時、前記受圧傾斜面３２は、加圧テーパー２３によりスリット１７及び周方向弱化線１８側に押されるので、嵌合上壁７には外向き水平方向の力が加わる。そのため、前記スリット１７が広がったり、周方向弱化線１８が破損したりするのを防止することができる。
【００１９】
なお、分別回収時には、上蓋５を外して摘持片１６を摘んで引っ張ると、弱化線１８、１９が切れると共に係合凸部１３の一部も切れる。そのため、容器口部２の締めつけが緩むので、容易にキャップ１を容器口部２から外すことができる。
【００２０】
この発明の第２実施例を図４により説明するが、図１〜図３と同一図面符号は、その名称も機能も同一である。
この実施例と第１実施例との相違は、傾斜突起３１と嵌合上壁７上面の内周縁７ａとの間に補助厚肉部２６を設けたことである。この補助厚肉部２６は嵌合上壁７を補強する為のものであり、その厚さｔは必要に応じて適宜選択される。
【００２１】
この実施例では、打栓装着時にスカート２２の下端面２５は、補強厚肉部２６を押し、加圧テーパー面２３は受圧傾斜面３２を押す。そのため、嵌合上壁７には、外向き水平方向の力が加わるとともに、該嵌合上壁７は補強厚肉部２６により補強されているため変形量が少なくなるので、スリット１７が広がったり、周方向弱化線１８が破損したりするのを防止することができる。
【００２２】
この発明の第３実施例を図５により説明するが、図１〜図４と同一図面符号は、その名称も機能も同一である。
この実施例と第２実施例との相違は、傾斜突起部４０が断面台形状に形成され、外側から内側に向かって下方に傾斜する受圧傾斜面４１と水平頂面４２とを備えており、又、スカート２２の下端面が、補強厚肉部２６に当接する内側平坦面４３と、受圧傾斜面４１に当接する加圧テーパー面４４と、前記水平頂面４２に当接する外側平坦面４５と、を備えていることである。
【００２３】
この実施例では、打栓装着時にスカート２２の内側平坦面４３は、補強厚肉部２６を押し、加圧テ−パー面４４は受圧傾斜面４１を押し、外側平坦面４５は水平頂面４２を押す。そのため、嵌合上壁７には、外向き水平方向４の力が加わるとともに、嵌合上壁７は補強厚肉部２６により補強されているので、変形量が少なくなる。そのため、スリット１７が広がったり、周方向弱化線１８が破損するのを防止することができる。
【００２４】
この発明の実施例は、上記に限定されるものではなく、例えば、次の様にしても良い。
（１）引き裂き開始部として、摘持片１６近傍にスリット１７を設ける代わりに、切り込みなどにより形成した溝状の弱化線を設けること。
（２）上蓋５とキャップ本体３とをねじ結合する代わりに、係合結合、即ち、いずれか一方に係止凹部を形成し、他方に係合凸部を形成し、前記係止凹部を前記係合凸部に係止させること、或いは、ヒンジ結合、即ち、ヒンジを介して両者を結合すること。
（３）ヒンジ結合を採用する場合には、上蓋を摘持片の代わりにすることができるので、該摘持片を省略することができる。
【図面の簡単な説明】
【００２５】
【図１】本発明の第１実施例を示す一部断面正面図である。
【図２】上蓋を外したときの、キャップ本体の平面図である。
【図３】図１の要部拡大図である。
【図４】本発明の第２施例を示す要部拡大断面図である。
【図５】本発明の第３施例を示す要部拡大断面図である。
【符号の説明】
【００２６】
１    分別回収容易なキャップ
２    容器口部
３    キャップ本体
５    上蓋
６    遮断壁
７    嵌合上壁
17    スリット
18    周方向弱化線
22    スカート
23    加圧テーパー面
25    下端面
26    補強厚肉部
31    傾斜突起
32    受圧傾斜面
【図１】
2006240645.tif 000003
【図２】
2006240645.tif 000004
【図３】
2006240645.tif 000005
【図４】
2006240645.tif 000006
【図５】
2006240645.tif 000007